(57)【特許請求の範囲】
【請求項１】
計時器用振動機構（１０）においてマウントされるばね仕掛けバランスアセンブリ（１）を作り、慣性設定及び／又は平衡化をする方法であって、
このばね仕掛けバランスアセンブリ（１）は、バランスコック（８０）を介してバランスばねスタッド（７）を支えるプレート（８）上でマウントされており、
前記ばね仕掛けバランスアセンブリ（１）は、回転軸（Ｄ）を中心に回転するバランス（２）と、及びバランスばね（３）とを有し、
前記バランスばね（３）の内側コイル（４）は、前記バランス（２）又は前記バランス（２）と一体的にマウントされたコレット（５）に固定され、
前記バランスばね（３）の外側コイル（６）は、前記バランスばねスタッド（７）に固定されて前記プレート（８）又は前記バランスコック（８０）内に保持され、
前記バランス（２）は、以下のように製造され、すなわち、
前記バランスばね（３）は、前記バランス（２）への取り付けの前に、前記バランスばね（３）の前記外側コイル（６）が、前記バランスばねスタッド（７）への取り付け位置において、曲げられ及び／又はねじられ、これによって、前記外側コイル（６）の振動する端部分を前記バランス（２）の周表面（２０）から離し、
前記バランス（２）と前記バランスばね（３）は、前記内側コイル（４）を前記バランス（２）又は前記バランス（２）と一体的にマウントされた前記コレット（５）に固定することによって、お互いどうしが不可逆的に組み立てられ、
前記外側コイル（６）は、前記バランスばねスタッド（７）へと改変防止性を有する形態で定位置に固定され、前記バランスばねスタッド（７）は、前記バランスコック（８０）に対する不可逆的な取り付けによって改変防止性を有する形態で動けなくされ、
材料の除去による前記バランス（２）の慣性設定及び／又は平衡化のための再機械加工技術が、工具又は摩耗の機械加工、レーザービーム又はプラズマの射出、又は液体ジェット射出の中から選択され、この再機械加工技術は、摩耗及び／又はチャージ及び／又は変形及び／又は加熱処理の手段を有する再機械加工手段によって実装され、
この再機械加工技術の選択に応じて、前記バランスばね（３）の任意の点と、前記バランス（２）の慣性設定及び／又は平衡化のための再機械加工領域との間の最小距離を形成する第１の距離（Ｅ１）の値が定められ、
前記バランス（２）の周囲において、前記バランス（２）の慣性設定及び／又は平衡化のために前記周表面（２０）を前記再機械加工領域として決め、前記周表面（２０）の任意の点は、少なくとも前記第１の所定の距離（Ｅ１）の値の分、前記バランスばね（３）から離れており、これによって、組み立てられたばね仕掛けバランスアセンブリ（１）上の前記バランス（２）の慣性設定及び／又は平衡化のための前記周表面（２０）上の前記バランス（２）の不可逆的な再機械加工時の前記バランスばね（３）の特徴に対するいずれの変更をも防ぎ、
前記バランスばね（３）は、前記バランス（２）への取り付けの前に、その外側コイル（６）が前記バランスばねスタッド（７）への取り付け位置において曲げられ及び／又はねじられ、これによって、前記外側コイル（６）の振動する端部分（６１）を前記周表面（２０）から離し、
前記バランス（２）及び前記バランスばね（３）は、前記バランス（２）又は前記バランス（２）と一体的にマウントされた前記コレット（５）に前記バランスばね（３）の内側コイル（４）を固定することによって、製造され、お互いと不可逆的に組み立てられ、
前記外側コイル（６）は、前記バランスばねスタッド（７）に改変防止性を有する形態で固定され、前記バランスばねスタッド（７）は、前記バランスコック（８０）に対する不可逆的な取り付けによって改変防止性を有する形態で動けなくされ、
選択される再機械加工技術に応じて、前記第１の距離（Ｅ１）以上であって、前記バランスばねスタッド（７）と、第２の所定の距離（Ｅ２）よりも大きな値の分前記バランスばねスタッド（７）から離れた前記周表面（２０）との間の最小距離を形成する第２の距離（Ｅ２）の値が定められ、これによって、組み立てられたばね仕掛けバランスアセンブリ（１）上の前記バランス（２）の慣性設定及び／又は平衡化のための前記周表面（２０）上の前記バランス（２）の再機械加工時における前記バランスばねスタッド（７）への前記バランスばね（３）の取り付けの特徴に対するいずれの変更をも防ぎ、
慣性設定及び／又は平衡化のためのいずれの必要な再機械加工操作の値及び位置が決められ、
慣性設定及び／又は平衡化の再機械加工操作は、前記周表面（２０）上でのみ行われつつ、前記再機械加工手段の軌道を、前記回転軸（Ｄ）を中心とする第１の表面（２１）の外側であって前記周表面（２０）の最小半径（２０１）上にあって前記バランスばね（３）の任意の活性点から前記第１の距離（Ｅ１）よりも大きな距離離れているような空間に制限し、前記第１の表面（２１）は、第１の頂点（Ｓ１）を有し回転軸（Ｄ）を中心とし第１の頂角（β）が第１の所定の値（βO）よりも小さい錐面である
ことを特徴とする方法。
【請求項２】
前記慣性設定及び／又は平衡化の再機械加工が前記周表面（２０）上でのみ行われる場合に、前記再機械加工手段の軌道は、第２の表面（２２）の内側であって前記周表面（２０）の最大半径（２０２）上にあり前記振動機構（１０）のための保護エンベロープ及び任意のチップ又は他の不要物の直接的又は間接的な飛び出しに対する前記バランスばね（３）のための保護エンベロープを定めるような空間に制限されており、
前記第２の表面（２２）は、前記回転軸（Ｄ）を中心とする第２の頂点（Ｓ２）を有し所定の第２の値（θO）よりも小さい第２の頂角（θ）を有するような錐面である
ことを特徴とする請求項１に記載の方法。
【請求項３】
前記第１の表面（２１）の前記第１の頂点（Ｓ１）は、前記バランス（２）に対して前記バランスばね（３）と同じ側にある
ことを特徴とする請求項１に記載の方法。
【請求項４】
前記第２の頂点（Ｓ２）は、前記バランス（２）に対して前記バランスばね（３）の反対側にある
ことを特徴とする請求項２に記載の方法。
【請求項５】
前記第１の表面（２１）及び前記第２の表面（２２）どうしは、前記回転軸（Ｄ）を通る断面において、４５°未満の所定の値（α０）よりも小さい第３の角（α）を形成する
ことを特徴とする請求項１と請求項２に記載の方法。
【請求項６】
前記第２の所定の値（θO）は４５°である
ことを特徴とする請求項２に記載の方法。
【請求項７】
前記バランス（２）の前置製造時に、前記周表面（２０）を越えて位置し前記回転軸（Ｄ）に対する距離が前記周表面（２０）の最小半径（２０１）未満である前記バランス（２）の任意の領域（２５）は、少なくとも表面に、工具、摩耗又はレーザーによる機械加工に対する前記周表面（２０）の耐久性よりも大きな耐久性を与えるような加熱処理及び／又は表面処理が施されており、及び／又は
前記領域（２５）は、工具、摩耗又はレーザーによる機械加工に対して前記周表面（２０）よりも耐久性を有する材料で作られている
ことを特徴とする請求項１に記載の方法。
【請求項８】
前記領域（２５）の少なくとも一部は、表面のセメンテーション又は窒化処理が施されている
ことを特徴とする請求項７に記載の方法。
【請求項９】
前記領域（２５）の少なくとも一部は、レーザーの機械加工のために使用される通常の波長のレーザービームに表面が反射するようにさせる表面を金属化する処理が施されている
ことを特徴とする請求項７に記載の方法。
【請求項１０】
前記プレート（８）及び／又は前記バランスコック（８０）は、前記再機械加工手段の前記周表面（２０）へのアクセスが可能になるように作られる
ことを特徴とする請求項１に記載の方法。
【請求項１１】
再機械加工操作が前記ばね仕掛けバランスアセンブリ（１）の慣性設定又は平衡化をするように行われる場合に、前記バランス（２）は、その１倍の幅（Ｌ）よりも大きい深さ（Ｐ）を有する狭い溝（Ｓ）を有するように機械加工される
ことを特徴とする請求項１に記載の方法。
【請求項１２】
前記バランス（２）に固定される前に、前記バランスばね（３）は、ケイ素、酸化ケイ素、単結晶ダイヤモンド、多結晶ダイヤモンド、ガラス、金属性ガラス、アモルファス金属、石英、常磁性体、強磁性体、又は反強磁性体で作られる
ことを特徴とする請求項１に記載の方法。
【発明の詳細な説明】
【技術分野】
【０００１】
本発明は、計時器用振動機構においてマウントされるばね仕掛けバランスアセンブリを作り、慣性設定及び／又は平衡化をする方法に関し、このばね仕掛けバランスアセンブリは、バランスコックを介してバランスばねスタッドを支えるプレート上でマウントされており、前記ばね仕掛けバランスアセンブリは、回転軸を中心に回転するバランスと、及びバランスばねとを有し、前記バランスばねの内側コイルは、前記バランス又は前記バランスと一体的にマウントされたコレットに固定され、前記バランスばねの外側コイルは、前記スタッドに固定されて前記プレート又は前記バランスコック内に保持される。
【０００２】
本発明は、ばね仕掛けバランスを備えた計時器用振動機構の分野に関する。
【背景技術】
【０００３】
ばね仕掛けバランスの振動周波数を調整するために、組み立てられたばね仕掛けバランスアセンブリに対して操作することは、常に難しい。なぜなら、バランスばねを変更するリスクがあるためである。このような操作は、既に組み立てられている計時器用ムーブメントの内部の場合は、さらに困難である。なぜなら、他の部品の保護及びムーブメントをきれいにするための制約のためである。
【０００４】
Ｆａｒ名義のフランス特許ＦＲ２１７９７４４  Ａ１は、ばね仕掛けバランスを平衡化して振動周波数を調整する方法を開示している。これは、バランスばねの特定の保護なしで、測定及び駆動手段とともに切断工具を使用してバランスの外縁から材料を取り除いている。
【０００５】
Ｓｕｗａ  Ｓｅｉｋｏｓｈａ  ＫＫ名義のスイス特許ＣＨ５３２２８４  Ａは、ローター平衡化デバイス及びバランスの再機械加工を開示しており、これにおいて、バランスばねがコレットに固定されている。この再機械加工はドリルで行われ、これには、機械加工を行うためにバランスを止めて保持することが必要である。
【０００６】
Ｓｗａｔｃｈ  Ｇｒｏｕｐ  Ｒ＆Ｄ名義のスイス特許ＣＨ７０４２１１  Ａ２は、電磁放射からのバランスばねの保護に関し、この特許明細書では、バランスの径と、バランスばねの外側コイルの径との間の割合の規則を、終端カーブ又はバランスばねスタッドへの取り付け、又はインデックスとのいずれの接触について言及せずに示している。
【０００７】
Ｓｉｌｖａ  Ｒｅｇｉｏ−Ｒｏｇｅｒ  Ｄｕｂｕｉｓ  ＳＡ名義の米国特許ＵＳ２０１２／１５７７４３  Ａ１は、バランスに付けられたコレットを介して一連のばねからバランスに取り出されたバランスばねのアセンブリを開示しており、このコレットは、バランスばねに対する取り付け点を有する一群のコレットの中から選択される。この取り付け点は、スタッフに近かったりスタッフから遠かったりする。
【０００８】
Ａｕｄｅｍａｒｓ  Ｐｉｇｕｅｔ  ＆  Ｃｏ名義の欧州特許ＥＰ２３１５０８２  Ａ２は、２つの共軸のバランスを有する規制メンバーを開示している。
【発明の概要】
【発明が解決しようとする課題】
【０００９】
本発明は、バランスばねとバランスが互いに対して既に組み立てられている場合、特に、ばね仕掛けバランスアセンブリが計時器用ムーブメントに既にマウントされている場合における、バランスの慣性設定又は平衡化の時のばね仕掛けバランスアセンブリのバランスばねの固定を確実にすることを提案するものである。
【００１０】
バランスの再機械加工時にバランスばねのいずれの変更をも防ぐことに困難性がある。
【課題を解決するための手段】
【００１１】
このために、本発明は、計時器用振動機構においてマウントされるばね仕掛けバランスアセンブリを作り、慣性設定及び／又は平衡化をする方法に関し、
このばね仕掛けバランスアセンブリは、バランスコックを介してバランスばねスタッドを支えるプレート上でマウントされており、
前記ばね仕掛けバランスアセンブリは、回転軸を中心に回転するバランスと、及びバランスばねとを有し、
前記バランスばねの内側コイルは、前記バランス又は前記バランスと一体的にマウントされたコレットに固定され、
前記バランスばねの外側コイルは、前記スタッドに固定されて前記プレート又は前記バランスコック内に保持され、
材料の除去による前記バランスの慣性設定及び／又は平衡化のための再機械加工技術が、工具又は摩耗の機械加工、レーザービーム又はプラズマの射出、又は液体ジェット射出の中から選択され、この再機械加工技術は、摩耗及び／又はチャージ及び／又は変形及び／又は加熱処理の手段を有する再機械加工手段によって実装され、
この再機械加工技術の選択に応じて、前記バランスばねの任意の点と、前記バランスの慣性設定及び／又は平衡化のための再機械加工領域との間の最小距離を形成する第１の距離の値が定められ、
前記バランスばねは、前記バランスへの取り付けの前に、前記バランスばねの前記外側コイルが、前記バランスばねスタッドへの取り付け位置において、曲げられ及び／又はねじられ、これによって、前記外側コイルの活性な端部分を前記周表面から離し、
前記バランスと前記バランスばねは、前記内側コイルを前記バランス又は前記バランスと一体的にマウントされた前記コレットに固定することによって、お互いどうしが不可逆的に組み立てられ、
前記外側コイルは、前記バランスばねスタッドへと改変防止性を有する形態で定位置に固定され、前記バランスばねスタッドは、前記バランスコックに対する不可逆的な取り付けによって改変防止性を有する形態で動けなくされ、
前記バランスの周囲において、前記バランスの慣性設定及び／又は平衡化のために前記周表面を前記再機械加工領域として決め、前記表面の任意の点は、少なくとも前記第１の所定の距離の値の分、前記バランスばねから離れており、これによって、組み立てられたばね仕掛けバランスアセンブリ上の前記バランスの慣性設定及び／又は平衡化のための前記周領域上の前記バランスの不可逆的な再機械加工時の前記バランスばねの特徴に対するいずれの変更をも防ぎ、
前記バランスばねは、前記バランスへの取り付けの前に、その外側コイルが前記バランスばねスタッドへの取り付け位置において曲げられ及び／又はねじられ、これによって、前記外側コイルの活性な端部分を前記周表面から離し、
前記バランス及び前記バランスばねは、前記バランス又は前記バランスと一体的にマウントされた前記コレットに前記バランスばねの内側コイルを固定することによって、製造され、お互いと不可逆的に組み立てられ、
前記外側コイルは、前記バランスばねスタッドに改変防止性を有する形態で固定され、前記バランスばねスタッドは、前記バランスコックに対する不可逆的な取り付けによって改変防止性を有する形態で動けなくされ、
選択される再機械加工技術に応じて、前記第１の距離以上であって、前記バランスばねスタッドと、第２の所定の距離よりも大きな値の分前記バランスばねスタッドから離れた前記周表面との間の最小距離を形成する第２の距離の値が定められ、これによって、組み立てられたばね仕掛けバランスアセンブリ上の前記バランスの慣性設定及び／又は平衡化のための前記周領域上の前記バランスの再機械加工時における前記バランスばねスタッドへの前記バランスばねの取り付けの特徴に対するいずれの変更をも防ぎ、
慣性設定及び／又は平衡化のためのいずれの必要な再機械加工操作の値及び位置が決められ、
慣性設定及び／又は平衡化の再機械加工操作は、前記周表面上でのみ行われつつ、前記再機械加工手段の軌道を、前記回転軸を中心とする第１の回転面の外側であって前記周表面の最小半径上にあって前記バランスばねの任意の活性点から前記第１の距離よりも大きな距離離れているような空間に制限し、前記第１の表面は、第１の頂点を有し回転軸を中心とし第１の錐面の頂角が第１の所定の値よりも小さい。
【００１２】
本発明の他の特徴及び利点が、添付図面を参照して下の詳細な説明を読むことで明らかになるであろう。
【図面の簡単な説明】
【００１３】
【図１】本発明に係るばね仕掛けバランスアセンブリの概略斜視図を示す。
【図２】本発明の好ましい変種におけるバランスばねの外側端の概略斜視図を示す。
【図３】回転軸を通る図１のばね仕掛けバランスアセンブリの概略断面図を示す。
【図４】販売後のサービスを特に意図したバランスを調整する単一の手段の詳細の概略平面図を示す。
【図５】図１のばね仕掛けバランスアセンブリで作られた溝の詳細の回転軸を通る断面の概略断面図を示す。
【図６】ブリッジとバランスコックの間でマウントされた図１のアセンブリの概略平面図であり、このバランスコックは、プレート内の開口と位置合わせされた吸気流を通すために凹部を有する。
【図７】図６の局所的な断面図である。
【図８】この種のばね仕掛けバランスアセンブリを収容するムーブメントを有する腕時計を示すブロック図である。
【発明を実施するための形態】
【００１４】
ここで、以下の２つの間の区別を行う。すなわち、
−  バランスとバランスばねが互いに不可逆的に固定されるようなばね仕掛けバランス対と、
−  このばね仕掛けバランス対及びいずれの調整ねじの両方を有する規制メンバーであるトップアセンブリとである。
【００１５】
したがって、本発明は、計時器用ムーブメント１００に組み入れられる計時器用振動機構１０に関し、これは、バランスコック８０を介してバランスばねスタッド７を支えるプレート８上でマウントされている少なくとも１つの計時器用ばね仕掛けバランスアセンブリを有し、これは、回転軸Ｄを中心に回転するバランス２及びバランスばね３を有する。このバランスばね３の内側コイル４は、バランス２又はバランス２と一体的にマウントされたコレット５に固定され、このバランスばね３の外側コイル６は、バランスばねスタッド７に固定されて、プレート８又はバランスコック８０に保持される。本発明は、規制メンバーが単一のバランス及び単一のバランスばねを備えるような特定の場合について、ここで説明される。当業者であれば、いくつかのバランス及び／又はいくつかのバランスばねの場合に本発明を適用できると容易に理解できる。
【００１６】
本発明によれば、図１に示すように、バランス２は、機械加工可能な周表面２０を有し、これは、第１の所定の距離Ｅ１よりも大きな値の分、バランスばね３の任意の点から離れており、これによって、組み立てられたアセンブリ１上でバランス２の慣性設定及び／又は平衡化をするためのバランス２の周部の機械加工可能な表面２０に対する不可逆的な再機械加工時に、バランスばね３の特徴のいかなる変更をも防ぐ。
【００１７】
「再機械加工」とは、ここでは、バランスの慣性を局所的に変更することができるいずれの操作をも意味する。これには、材料を加えること、材料を移動させること、材料を除去することが含まれる。この操作は、以下の手法で行うことができる（これらに限定されない）。すなわち、切断又は摩耗の工具（ドリル、旋削、矯正など）で再機械加工することによって、レーザー、特にピコレーザー又はフェムトレーザーによって、材料のジェット射出によって、工具を使用する変形によって、局所的な融解によって、材料の構造を変える熱処理によって、又は他の手段によってである。
【００１８】
本発明の特定の実装の１つにおいて、機械加工可能な周表面２０を越えて位置するバランス２のいずれの領域２５も、少なくともその表面に対して熱処理及び／又は表面処理が施され、工具、摩耗又はレーザーによる機械加工に対して通常よりも高い耐久性を与え、及び／又は工具、摩耗又はレーザーによる機械加工に耐久性がある材料で作られる。
【００１９】
第１の距離Ｅ１は、最も一般的な場合では、バランスばね３のあらゆる位置にある可能性があるが、バランスばねの特定の具体的な位置のそれぞれに対して特定の距離値を設定することができる。すなわち、安静位置、最大の正の振動振幅の位置、最大の負の振動振幅の位置、又は別の位置である。
【００２０】
したがって、バランスばね３の特徴を何ら変えずに、より詳細には、トルクを変え、したがってバランスばねの振動周波数を変え得るような、熱的影響、チップ又は材料の突き出しなどの影響を直接的にも間接的にもバランスばね３に与えずに、バランス２を適切に変えるために、バランスばねを保護するということが問題となる。
【００２１】
具体的には、周表面２０は、第１の距離Ｅ１よりも大きい値の分、バランスばね３の外側コイル６の活性部分（すなわち、振動する部分）から半径方向に最も中心からずれた点から離れている。
【００２２】
好ましくは、第１の所定の距離Ｅ１は、０．５０ｍｍよりも大きい。好ましいことに、本発明によると、第１の所定の距離Ｅ１は、０．５０ｍｍ〜１．２０ｍｍである。特定のアプリケーションにおいて、第１の所定の距離Ｅ１は、０．５０ｍｍ〜０．７０ｍｍである。
【００２３】
図２に示す特定のアプリケーションにおいて、バランスばね３は、屈曲３１を形成するように曲がっており、及び／又はねじれ領域３２において、又はバランスばねスタッド７へのバランスばね３の取り付け位置の近傍でねじられる。これによって、バランスばね３の外側コイル６の活性部分６１を周表面２０から動かす。このようにして、バランスばね３のこの活性部分６１がバランス２の周部の再機械加工面２０から、好ましくは、周表面２０の放射状のスパンの２／３よりも大きい距離の分、離される。この周表面２０は、回転軸Ｄに垂直な平面への射影において環状である。
【００２４】
好ましいことに、本発明によれば、周表面２０は、第２の所定の距離Ｅ２よりも大きな値の分、バランスばねスタッド７から離れており、これによって、組み立てられたアセンブリ１上のバランス２の平衡化のため及び／又は慣性を設定するために周領域２０上でバランス２を再機械加工する時に、バランスばね３の特徴に対するいずれの変更をも防ぎ、そして、特に、バランスばね３を間接的に加熱することによっていずれの特徴をも変わることを防ぐ。好ましくは、第２の所定の距離Ｅ２は、０．０５ｍｍよりも大きい。この第２の所定の距離Ｅ２は、好ましくは、０．０５ｍｍ〜０．２０ｍｍである。特定のアプリケーションにおいては、第２の所定の距離Ｅ２は、０．０５ｍｍ〜０．１０ｍｍである。
【００２５】
第２の距離Ｅ２は、最も一般的な場合に、バランスばね３の任意の位置にあってもよく、バランスばねの特定の具体的な位置それぞれに対して特定の距離値を設定することができる。すなわち、安静位置、最大の正の振動振幅の位置、最大の負の振動振幅の位置又は別の位置である。
【００２６】
本発明に従って慣性を設定するため及び／又は平衡化するためにバランス２の再機械加工を行うために、周表面２０は、第１の表面２１の外の空間において、バランス２の少なくとも一方の側から摩耗及び／又はチャージ及び／又は変形及び／又は射出及び／又は熱処理の手段までアクセス可能である。この第１の表面２１は、回転軸Ｄを中心とする回転面であり、周表面２０の最小半径２０１上にある。また、第１の表面２１は、バランスばね３の任意の活性点から第３の距離Ｅ３よりも大きな距離離れている。これによって、バランス２の慣性設定及び／又は平衡化をするための周表面２０上のバランス２の機械加工の時のバランスばね３の特徴の何らかの変更をも防ぐ。
【００２７】
本発明の特定の実装では、図３に示すように、第１の表面２１は、頂点Ｓ１がバランス２に対してバランスばね３と同じ側にあるような錐面である。
【００２８】
図面は、「上側」２Ａと呼ばれる単一の側でバランス２の慣性を再設定するような単純化された場合を示している。当然、反対側の下側２Ｂで慣性を再設定する機械加工を行うことを想定することもまったく可能である。このような場合、第１の表面２１は２つの準表面で作られ、その１つがバランス２のリムの各側にあり、これは、反対側の開口を有する２つの錐面部分を有する。
【００２９】
特定の実施形態において、バランスばね３の保護だけでなくバランス２の慣性の再平衡化及び／又は再設定がバランス２及びバランスばね３を有する振動機構１０を備えたムーブメント１００の内部で直接行われる場合の計時器用ムーブメントの配置をも考慮して、バランス２の慣性変更手段が周表面２０の方へとアクセスする空間は、第１の表面２１によるバランスばね３の側でだけではなく、第２の表面２２による外部側でも制限されている。このような場合、周表面２０は、回転軸Ｄを共軸とする２つの表面によって定まる空間内において、バランス２の少なくとも一方の側から摩耗及び／又はチャージ（放電）手段へとアクセス可能である。この状態において、第１の表面２１が、周表面２０の最小半径２０１上であってバランスばね３の任意の活性点から第３の距離Ｅ３よりも大きな距離離れている位置にあり、これによって、バランス２の慣性設定及び／又は平衡化をするために周表面２０上のバランス２に再機械加工をする時のバランスばね３の特徴に対するいずれの変更をも防ぐ。また、第２の表面２２は、周表面２０の別の半径上であって最小半径２０１よりも大きい半径上にあり、第２の表面２２は、組み立てられたアセンブリ１上のバランス２の慣性設定及び／又は平衡化をするために周表面２０上のバランス２の再機械加工時のばね仕掛けバランスアセンブリ１を包囲する計時器機構用の保護エンベロープを定める。
【００３０】
この第２の表面２２によって提供される制限の目的は、バランス、ブリッジ又はバランスコックの表面におけるチップ又は他の不要物の反射又は跳ね跳びによる、任意の直接的又は間接的な飛び出しに対するバランスばね３の保護を確実にすることである。
【００３１】
図３の特定の場合において、第２の表面２２は、頂点Ｓ２がバランス２に対してバランスばね３の反対側にあるような錐面である。
【００３２】
好ましくは、第１の表面２１及び第２の表面２２どうしは、回転軸Ｄを通る断面において、４５°未満である所定の値α０よりも小さな角αを形成する。
【００３３】
回転軸Ｄの平面における周表面２０上の第１の表面２１に対する正接は、回転軸Ｄを通る断面において、回転軸Ｄと、所定の値βOよりも小さな角βを形成する。この所定の値βOは、所定の値Ｅ３に関連付けられている。
【００３４】
同様に、回転軸Ｄを通る断面における回転軸Ｄとの第２の表面２２に対する正接は、所定の値θOよりも小さな角θを形成する。特定のアプリケーションにおいては、この角θOは４５°である。
【００３５】
第３の距離の値Ｅ３は、好ましいことに、第１の距離Ｅ１の値の１００％〜１２０％であり、好ましくは、第３の距離の値Ｅ３は、第１の距離Ｅ１の値と等しい。
【００３６】
本発明によると、本発明に係るばね仕掛けバランスアセンブリ１は、理論的な動作のために工場で設定され、不注意に操作される可能性があって重大なクロノメーター的エラーを発生させるような可動部を持たない。具体的には、バランスばね３には、改変防止性がある。すなわち、ばね仕掛けバランスアセンブリ１には、インデックス付きアセンブリを持たず、又はバランスばね３やバランスばねスタッド７に作用することができるいずれの要素も持たない。このバランスばねスタッド７にも改変防止性がある。
【００３７】
したがって、バランス２は、調整の範囲が非常に小さく調整能力が１日当たり数秒や数十秒のように非常に小さいような慣性調整手段を有する。これらの手段は、例えば、再機械加工位置において不動に保持される小さなねじで形成される。この再機械加工位置は、ノッチのようなものによって決められる固定位置であるか、あるいは支持表面に当接する位置である。これらの小さなねじは、慣性設定及び／又は平衡化の再機械加工操作の継続時間全体にわたってこの固定された再機械加工位置に保持される。小さくなった調整範囲は、販売後のサービスでのみ使用される。この変種では、好ましいことに、バランス２が少なくとも２つのハウジング２８であって、それぞれがバランス２の周区画２９の両側に捕捉されるようにマウントされている調整ねじを受けるために配置されているものを有する。このねじ９は、バランス２の不可逆的な機械加工が行われる時である出荷時設定操作時にねじ９の第１の頭９３が上で当接して保持される、バランス２上の第１の止め位置９１と、及びねじ９の第２の頭９４の移動距離の端を定める第２の止め位置９２との間でのみ移動可能である。第１の止め位置９１と第２の止め位置９２の間の距離ＰＲが、ねじ９の調整能力を制限する。ねじ９の調整能力は、好ましくは、販売後のことを考えて、１日当たり３０秒以内に制限される。
【００３８】
図４に示す特定の実施形態において、したがって、バランス２は、唯一の調整手段として、調整ねじ９を有し、これは、出荷時設定においてねじ頭９３が上で当接するバランス１上の第１の止め位置９１と、及び販売後のサービスのために調整能力を１日当たり３０秒以内に制限される第２の止め位置９２との間でのみ移動させることができる。これらの調整ねじ９は、工場で行われる不可逆的な慣性設定及び／又は平衡化の機械加工の後のばね仕掛けバランスアセンブリ１の使用時に調整することができる唯一の要素である。調整ねじが存在する場合に、必ず調整ねじが止め位置にあるようにして慣性設定及び平衡化が行われることは明らかである。
【００３９】
別の特定の実施形態において、バランス２には厳密に調整手段がない。この場合、ばね仕掛けバランス１は、使用時に何らかのインデックス付きアセンブリ又は何らかの調整手段がない。
【００４０】
本発明の好ましい実装においては、バランス２は、狭い溝Ｓであってそれらの幅Ｌより少なくとも１倍大きく、好ましくは、それらの幅Ｌの少なくとも３倍分大きな、深さＰの形態の溝Ｓの形の慣性設定及び／又は平衡化をするために機械加工される。
【００４１】
この方法の特定の実装では、バランスばね３は、ケイ素、酸化ケイ素、単結晶ダイヤモンド、多結晶ダイヤモンド、ガラス、金属性ガラス、アモルファス金属、石英、常磁性体、強磁性体又は反強磁性合金で作ることができる。
【００４２】
有利な変種において、上記の距離Ｅ１、Ｅ２、Ｅ３によって定められる安全距離を設けることに加えて、バランスばね３は、バランス２の慣性設定及び／又は平衡化のために周表面２０の再機械加工がされる場合に、近くの領域における局所的な加熱に耐久性を持たせるために前置加熱の処理がされる。
【００４３】
本発明は、さらに、改変防止性を有し、インデックス付きアセンブリがないバランスばね３を備え、かつ、バランスコック８０を介してバランスばねスタッド７を支えるプレート８上でマウントされている、少なくとも１つのばね仕掛けバランスアセンブリ１を有する計時器用振動機構１０に関する。本発明によると、バランスコック８０は開いた形を有しており、少なくとも１つの凹部８１を有し、これによって、組み立てられたアセンブリ１上のバランス２の慣性設定及び／又は平衡化をするためにバランス２が周表面２０上で再機械加工される時に、機構１０内で作られる吸気流を促進する。この吸引は、バランス２の片側でプレート８とバランスコック８０の２つの表面が互いに面していれば、効果がない。
【００４４】
好ましくは、プレート８、又はばね仕掛けバランスアセンブリ１の近傍でプレート８が備えるバランスコック８０は、少なくとも１つの開いた穴８２を有する。これによって、組み立てられたアセンブリ１においてバランス２の慣性設定及び／又は平衡化をするために周表面２０上でバランス２が再機械加工される場合に、機構１０で作られる吸気流を促進させる。
【００４５】
特定の変種において、特定のしきい値の径よりも小さい径にてバランスを機械加工することが不可能にされる。これは、例えば、以下によってなされる。
−  切断工具又はレーザーによって材料が除去されることを防ぐ表面処理又は保護（例、保護の場合の反射面保護）によって、又は
−  内側及び外側の２つの部分にてバランスを構築することによってである。この内側部分は、径がしきい値の径よりも小さく、切断工具ないしレーザーによる材料の除去を妨げる材料で作られている。
【００４６】
本発明は、さらに、改変防止性のバランスばね３を有するばね仕掛けバランスアセンブリ１を備えたこの種の振動機構１０を有する計時器用ムーブメント１００に関し、改変防止性のバランスばねスタッド７には、インデックス付きアセンブリがなく、前記調整ねじ９以外では、使用時の他の調整手段がない。別の変種では、計時器用ムーブメント１００は、改変防止性のバランスばね３を有するばね仕掛けバランスアセンブリ１を備えたこの種の振動機構１０を有し、改変防止性のバランスばねスタッド７には、インデックス付きアセンブリがなく、使用時の他の調整手段がない。
【００４７】
本発明は、さらに、このようなムーブメント１００を少なくとも１つ有する計時器２００に関し、この計時器２００は、好ましくは、腕時計である。
【００４８】
本発明は、計時器用振動機構１０にマウントされたばね仕掛けバランスアセンブリ１を作り、慣性設定及び／又は平衡化をする方法に関し、このばね仕掛けバランスアセンブリ１は、バランスコック８０を介してバランスばねスタッド７を支えるプレート８にマウントされ、回転軸Ｄを中心に回転するバランス２及びバランスばね３を有する。バランスばね３の内側コイル４は、バランス２又はバランス２と一体的にマウントされたコレット５に固定される。バランスばね３の外側コイル６は、バランスコック８０に保持されるようにスタッド７に固定される。
【００４９】
本発明によって、
−  バランス２及びバランスばね３は、バランスばね３の内側コイル４を、バランス２又はバランス２と一体的にマウントされたコレット５に固定することによって、互いに不可逆的に組み立てられるようにして製造される。
−  バランスばね３の外側コイル６は、改変防止性を有する形態で、バランスばねスタッド７に定位置にて固定される。このバランスばねスタッド７は、バランスコック８０に対する不可逆的な取り付けによって改変防止性を有する形態で動けなくされる。
−  材料の除去によるバランス２の慣性設定及び／又は平衡化のために、工具又は摩耗の機械加工、レーザービーム、プラズマ射出又は液体ジェット射出の中から、再機械加工技術が選択される。この再機械加工技術は、摩耗及び／又はチャージ及び／又は変形及び／又は加熱の手段を含む再機械加工手段によって実装される。
−  再機械加工技術の選択に応じて、第１の距離Ｅ１の値が定められる。これは、バランスばね３の任意の点と、及びバランス２の慣性を設定及び／又は平衡化のための再機械加工領域との間の最小距離を形成する。
−  バランス２の周部にて、バランス２の慣性設定及び／又は平衡化のために、再機械加工領域として、周表面２０が決定される。これにおいて、表面２０の任意の点は、少なくとも第１の所定の距離Ｅ１の値の分、バランスばね３から離れている。これによって、組み立てられたばね仕掛けバランスアセンブリ１上のバランス２の慣性設定及び／又は平衡化をするための周領域２０上のバランス２の不可逆的な再機械加工時のバランスばね３の特徴に対するいずれの変更をも防ぐ。
−  選択された再機械加工技術に応じて、第１の距離Ｅ１以上であって、バランスばねスタッド７と、及び第２の所定の距離Ｅ２よりも大きな値の分バランスばねスタッド７から離れている周表面２０との間の最小距離を形成するような第２の距離Ｅ２の値が定められる。これによって、組み立てられたばね仕掛けバランスアセンブリ１上のバランス２の慣性設定及び／又は平衡化のための周領域２０上のバランス２の再機械加工時のバランスばねスタッド７へのバランスばね３の取り付けの特徴に対するいずれの変更をも防ぐ。
−  慣性設定及び／又は平衡化のための任意の必要な再機械加工操作の値及び位置が決定される。
−  慣性設定及び／又は平衡化の再機械加工は、周表面２０上でのみ行われつつ、回転軸Ｄを中心とする回転２１の第１の表面の外であって周表面２０の最小半径２０１上でバランスばね３の任意の活性点から第１の距離Ｅ１よりも大きい距離離れている空間内に、再機械加工手段の軌道を制限し、第１の表面２１は、第１の頂点Ｓが回転軸Ｄを中心とし第１の頂角βが第１の所定の値βOよりも小さいような錐面である。
【００５０】
この方法の特定の実装の１つにおいては、慣性設定及び／又は平衡化の再機械加工が周表面２０上でのみ行われる場合、再機械加工手段の軌道は、周表面２０の最大半径２０２上にある第２の表面２２に対して内側の空間に制限されている。この空間は、任意のチップ又は他の不要物の直接的又は間接的な飛び出しに対する、振動機構１０用の保護エンベロープと、及びバランスばね３のための保護エンベロープを定め、第２の表面２２は、回転軸Ｄを中心とする第２の頂点Ｓ２を有し第２の頂角θが所定の第２の値θOよりも小さいような錐面である。
【００５１】
この方法の特定の実装の１つにおいては、第１の表面２１の第１の頂点Ｓ１は、バランス２に対してバランスばね３と同じ側にある。
【００５２】
この方法の特定の実装の１つにおいては、第２の頂点Ｓ２は、バランス２に対してバランスばね３の反対側にある。
【００５３】
この方法の特定の実装の１つにおいては、第１の表面２１及び第２の表面２２どうしは、回転軸Ｄを通る断面において、４５°未満である所定の値α０よりも小さい第３の角αを形成する。
【００５４】
この方法の特定の実装の１つにおいては、第２の所定の値θOは４５°である。
【００５５】
本方法の特定の実装の１つにおいては、バランス２の前置製造時に、周表面２０を越えて位置し回転軸Ｄに対する距離が周表面２０の最小半径２０１よりも小さいようなバランス２の任意の領域２５は、少なくともその表面に熱処理及び／又は表面処理を施され、そして、工具、摩耗又はレーザーによる機械加工に対する周表面２０よりも大きな耐久性が与えられるように作られ、及び／又は領域２５は、工具、摩耗又はレーザーによる機械加工に対する耐久性が周表面２０よりも大きな耐久性を有する材料で作られている。
【００５６】
この方法の特定の実装の１つにおいては、前記領域２５の少なくとも一部は、表面のセメンテーション又は窒化処理が施されている。
【００５７】
本方法の特定の実装の１つにおいては、前記領域２５の少なくとも一部は、機械加工のレーザーで使用される通常の波長のレーザービームに表面が反射するようにするような表面を金属化する処理が施されている。
【００５８】
この方法の特定のアプリケーションにおいては、バランスばね３は、バランス２への取り付けの前に、その外側コイル６が、バランスばねスタッド７への取り付け位置において曲げられ及び／又はねじられるようにして作られる。これによって、外側コイル６の活性な端部分６１を周表面２０から離す。
【００５９】
本方法の特定の実装の１つにおいては、プレート８及び／又はバランスコック８０は、周表面２０への再機械加工手段のアクセスを可能にするように作られる。
【００６０】
この方法の特定の実装の１つにおいては、バランスばね仕掛けバランスアセンブリ１の慣性設定又は平衡化のために再機械加工が行われる場合、バランス２は、その幅Ｌの１倍よりも大きい深さＰを有する狭い溝Ｓを有するように機械加工される。
【００６１】
本方法の特定の実装の１つにおいては、バランス２への取り付けの前に、バランスばね３は、ケイ素、酸化ケイ素、単結晶ダイヤモンド、多結晶ダイヤモンド、ガラス、金属性ガラス、アモルファス金属、石英、常磁性体、強磁性体、又は反強磁性体で作られている。
【００６２】
この方法の特定の実装の１つにおいて、
−  バランスばね３の両端の位置は、一方では、バランス２に対して、他方では、ムーブメント１０のプレート８又はバランスコック８０に対して、改変防止性を有する形態で動けなくされたバランスばねスタッド７に対して、改変防止性を有する形態で設定される。
−  バランスを調整するいずれの手段９も、再機械加工位置にて動けなくされる。
−  慣性設定及び／又は平衡化の再機械加工の操作が行われる。
【００６３】
この方法の特定の実装の１つにおいては、慣性設定又は平衡化の再機械加工操作を行うために、
−  ばね仕掛けバランスアセンブリ１の近傍に、材料の除去、工具又は摩耗機械加工、レーザービーム又はプラズマの射出、又は液体ジェット射出によって機械加工する手段が置かれる。
−  外側コイル６は、改変防止性を有する形態でバランススタッド７に固定され、このバランススタッド７は、ムーブメント１０のプレート８に対して又はバランスコック８０に対しての不可逆的な取り付けによって、改変防止性を有する形態で動けなくされる。
−  慣性設定及び／又は平衡化のためのいずれの必要な再機械加工操作の値及び位置が決定される。
−  慣性設定及び／又は平衡化の再機械加工操作が、周表面２０上で行われる。
【００６４】
この方法の特定の実装の１つにおいて、
−  バランス２は、初期の製造段階において、２つの止め位置の間で捕獲されるようにマウントされる調整ねじ９を有する。これによって、出荷時設定位置においてばね仕掛けバランスアセンブリ１の慣性設定又は平衡化をする再機械加工操作を行い、バランス２の調整ねじ９はそれぞれ、バランス２上の第１の止め位置９１にて動けなくされる。これにおいて、ねじ９が備える第１の頭９３は、バランス２の周区画２９に当接するように保持される。
【００６５】
この方法の特定の実装の１つにおいては、第１の所定の距離Ｅ１は、０．５０ｍｍ〜１．２０ｍｍの値に選択される。
【００６６】
より詳細には、第１の所定の距離Ｅ１は、０．５０ｍｍ〜０．７０ｍｍの値に選択される。
【００６７】
この方法の特定の実装の１つにおいては、第２の所定の距離Ｅ２は、０．０５ｍｍ〜０．２０ｍｍの値に選択される。
【００６８】
より詳細には、第２の所定の距離Ｅ２は、０．０５ｍｍ〜０．１０ｍｍの値に選択される。
【００６９】
本方法の特定の実装の１つにおいては、プレート９及び／又はバランスコック８０は、バランス２の少なくとも一方の側から周表面２０が、回転軸Ｄを中心とする回転２１の第１の表面の外であって周表面２０の最小半径２０１上でバランスばね３の任意の活性点から第３の距離Ｅ３よりも大きな距離離れているような空間において、摩耗の及び／又はチャージ及び／又は変形及び／又は加熱の手段にアクセス可能なように作られ、これによって、バランス２の慣性設定及び／又は平衡化をするための周表面２０上のバランス２の不可逆的な再機械加工時にバランスばね３の特徴に対するいずれの変更をも防ぐ。
【００７０】
この方法の特定の実装の１つにおいては、回転軸Ｄを通る断面において回転軸Ｄと、所定の値βOよりも小さな角βを形成するような第１の表面２１が選択される。
【００７１】
本方法の特定の実装の１つにおいては、バランス２には、少なくとも２つのハウジング２８が設けられており、そのそれぞれは、バランス２の周区画２９の一方の側で捕捉されるようにマウントされる調整ねじ９を受けるように構成し、このねじ９は、バランス２の不可逆的な機械加工が行われる出荷時設定時にねじ９の第１の頭９３が当接するように保持されるようなバランス２上の第１の止め位置９１と、ねじ９の第２の頭９４の移動距離の端を定める第２の止め位置９２との間でのみ移動可能であり、第１の止め位置９１と第２の止め位置９２の間の距離がねじ９の調整能力を、販売後の目的のために１日当たり３０秒以内に制限する。
【００７２】
この方法の特定の実装の１つにおいては、バランス２に固定される前に、バランスばね３は、前置加熱処理される。これによって、バランス２の慣性設定及び／又は平衡化のためにバランス２が周表面２０上で再機械加工される場合の近くの領域における局所的な加熱に対する耐久性をつける。
【００７３】
この方法の特定の実装の１つにおいては、組み立てられたアセンブリ１においてバランス２の慣性設定及び／又は平衡化のために周領域２０上でバランス２を再機械加工する際に、バランスコック８０は開いた形となるように作られ、機構１０で作られる吸気流が中を循環するような少なくとも１つの凹部８１を有する。
【００７４】
この方法の特定の実装の１つにおいては、プレート８には、少なくとも１つの穴８２が設けられており、これは、組み立てられたアセンブリ１上のバランス２の慣性設定及び／又は平衡化のための周表面２０上のバランス２の再機械加工時に機構１０で作られる吸気流を促進させ、このばね仕掛けバランスアセンブリ１は、慣性設定及び／又は平衡化の再機械加工操作時に、ばね仕掛けバランスアセンブリ１が間でマウントされるプレート８及びバランスコック８０における開口８１及び／又は凹部８１を通り抜ける吸気流を受ける。
【００７５】
この方法の特定の実装の１つにおいては、出荷時設定時の不可逆な慣性設定及び／又は平衡化の機械加工後に、振動機構１０は、唯一の調整手段としてバランス２の調整ねじ９を使用して、販売後のサービスにて調整される。
【００７６】
この方法の特定の実装の１つにおいては、上に定めたように、再機械加工手段の動作のエンベロープ用に、少なくとも第１の表面２１を越えるように、第１の表面２１に対するバランスばね３の反対側で、空間の限界が定められる。また、再機械加工手段においては、場合に応じて、レーザー又はプラズマビーム又は機械加工スピンドルの軸が、加熱が効果を発揮するように、又はチップ又は塵埃がバランスばねの範囲内に来ないような方向を向くようにされる。好ましくは、これらの軸は、図３に示すように、角βと等しい角に対応する角度的な扇形部分ω内を向いており、これによって、光線、フロー、チップ及び塵埃の反射が、バランスばね３から離れてしか発生しない。
【００７７】
本発明は、組み立てられたムーブメント１０における慣性設定及び／又は平衡化のために再機械加工することに対して、特に適している。第２の固定表面エンベロープ２２の定義に記載したことによって、上で説明したように、ムーブメントの他の部品を保護し、そして、任意のフロー及び不要物の反射が２つの表面２１及び２２内に留まることは確実にされるべきである。この確実性は、適切な向きを向いている、図３の例においてＳ２からＳ２へと上昇する吸気流の存在によって、さらに改善され、再機械加工の後にムーブメント１０がきれいなままであることを確実にする。
【００７８】
バランスの慣性設定及び／又は平衡化のために行うこの再機械加工操作で形成される最後の動作上の調整の後に、ムーブメント１０は、更なる出荷時設定をいずれも行わない。上に述べたように、バランスが調整ねじ９を備える場合、販売後のサービスにおける調整の範囲は制限される。
【００７９】
このように、工場に戻ると、ここで説明した操作と同様な操作で、慣性のリセットが必要とされる。本発明の利点は、この操作を行うために、ムーブメントを分解する必要がないことである。
【００８０】
本発明は、バランスの再機械加工時にバランスばねのいずれの変更をも防ぐ。特定の幾何学的な特徴のために、不可逆な平衡化の機械加工操作を行うことが簡単であるという付加的効果も有する。
【００８１】
偽造物を特定するという頻発している課題に対して、２つの材料で作られたバランスを代わりに使用することによって、又は再機械加工を防ぐために内部に処理された領域を有するバランスを代わりに使用することによって、解決策が与えられる。
【図１】
0005925392.tif 000002
【図２】
0005925392.tif 000003
【図３】
0005925392.tif 000004
【図４】
0005925392.tif 000005
【図５】
0005925392.tif 000006
【図６】
0005925392.tif 000007
【図７】
0005925392.tif 000008
【図８】
0005925392.tif 000009